(57)【要約】【課題】空気調和機において、エアフィルターのメンテナンスの手間を低減する自動清掃装置としてフィルム駆動方式の吸引ノズルにより塵埃を吸引させる場合、吸引ノズルの中に塵埃に含まれる砂等が侵入し、その影響によりフィルムの摺動抵抗が増大し、フィルムを駆動出来なくなる課題があった。【解決手段】フィルム９を支持し摺動面を構成する外郭ケース１７のフィルム９を押さえる面にＵ字状の切欠き１７ａを複数個設けることにより、フィルム９とケースとの摺動面を減らし、さらに侵入した砂等をＵ字状の切欠き１７ａより吸引ノズル３の外に吐き出すことを可能とし、塵埃に含まれる砂等によるフィルム９の摺動摩擦抵抗の増大を抑制する。【選択図】図２
2007107827.tif 000002
【特許請求の範囲】
【請求項１】
熱交換器を通過する空気の塵埃を除去するため前記熱交換器の風上側の前面側と天面側を覆うように設置されるエアフィルターを具備し、前記エアフィルターのさらに風上側には、前記エアフィルターの断面形状に沿うようＬ型もしくは円弧状に曲がりかつ内面側に空間を有する箱状の吸引ノズルを配置し、前記エアフィルターの水平方向に沿って駆動可能とし、前記吸引ノズルと吸引装置とが屈曲性を有するホース等により連結される構成を有するフィルター装置を具備した空気調和機において、前記箱状の吸引ノズルは、前記エアフィルター面側に前記エアフィルターの断面方向全体に渡って開口部が設けられた内側ケースと、さらに前記内側ケースの外側には前記開口部を覆いつつその一部に相当する位置に吸引口が空けられたフィルムが配置され、前記吸引口が前記開口部に沿って駆動可能なように前記フィルム駆動装置と連結装着され、さらにその外側を、前記フィルムの吸引口およびその駆動範囲以外を覆うが外郭カバーにて前記フィルムを支持する構成とし、前記外郭カバーの前記エアフィルター面側の前記フィルムを支持する摺動面にＵ溝状の切欠きを前記フィルムの駆動方向に複数個配置したことを特徴とする空気調和機のフィルター装置。
【請求項２】
吸引ノズルにおいて、前記内側ケースまたは前記外郭カバーの一方もしくはその両方の前記フィルムの摺動面に円形もしくは前記フィルムの駆動方向に長い小さな凸形状を１個以上設け前記フィルムを支持することを特徴とする、請求項１記載の空気調和機のフィルター装置。
【請求項３】
吸引ノズルにおいて、前記フィルムの吸引口の前記吸引ノズル駆動方向の前側もしくは後ろ側近傍に、前記エアフィルター面まで届き若干圧縮される厚さを有する弾性体のパッドを固定し、前記吸引ノズルの内側ケースの前記エアフィルターの前面側から天面側への曲り部の前記パッドの摺動部に相対する面を切り欠いたことを特徴とする、請求項１または２のいずれかに記載の空気調和機のフィルター装置。
【発明の詳細な説明】
【技術分野】
【０００１】
本発明は、フィルターの清掃を自動的に行うようにした空気調和機のフィルター装置に関するものである。
【背景技術】
【０００２】
従来の空気調和機のフィルター装置は、熱交換器の風上側前面および天面に、空気調和機の本体内部へ埃が侵入することを防ぐためのエアフィルターが設けられ、エアフィルターのさらに風上側には、エアフィルターの断面形状に沿うようＬ型に曲がりかつ内面側に空間を有する箱状の吸引ノズルが配置され、エアフィルターの水平方向に沿って吸引ノズルが駆動し、前記吸引ノズルと屈曲性を有するホース等により吸引装置が連結された構成で、吸引ノズルは、エアフィルター面側にエアフィルター断面方向全幅にわたる開口部を有する内側ケースと、その外側に開口部を覆いかつその開口部の一部に相当する吸引口を有するフィルムを装着し、さらにその外側を吸引口およびその吸引口の駆動範囲以外を覆う外郭ケースより構成され、吸引装置を駆動しながら吸引ノズルを水平方向に駆動させ、エアフィルターに付着した塵埃をフィルム吸引口より除去するものであり、さらにフィルム吸引口を吸引ノズルの内側ケースの開口部に沿って駆動させエアフィルター全面に付着した塵埃を除去するものであった。
【０００３】
また、エアフィルターの塵埃除去性能を向上させるため、フィルムの吸引口近傍にエアフィルター面まで届く弾性体のパッドを固定したような構成のものも考案されている（例えば、特許文献１参照）。
【特許文献１】特開２００５−１４０４０３号公報
【発明の開示】
【発明が解決しようとする課題】
【０００４】
しかしながら、上記従来技術の構成のフィルター装置では、塵埃に含まれる細かな砂等がフィルムと内側ケースもしくは外郭カバーとの摺動面に侵入した際には、フィルムの摺動抵抗が増大しフィルム吸引口の駆動を妨げ、エアフィルター全面の塵埃除去が出来なくなる可能性があった。
【０００５】
また、弾性体パッドをフィルムに固定した構成のものに関しては、弾性体のパッドが吸引ノズルの前面側から天面側へ曲がる部分を通過する際、ノズル内側ケースとパッドを固定したフィルム近傍の摺動面の摩擦抵抗が大きくなり、塵埃に含まれる細かな砂等の摺動摩擦抵抗増大の影響をより大きく受ける構成となっていた。
【０００６】
本発明は、従来技術の有するこのような問題点に鑑みてなされたものであり、簡素な構成で塵埃のノズル部侵入によるフィルム摺動部への摺動摩擦の増大を抑え、信頼性の高いフィルム駆動性を有するフィルター装置を備えた空気調和機を提供することを目的としている。
【課題を解決するための手段】
【０００７】
上記課題を解決するため、本発明の空気調和機のフィルター装置は、熱交換器を通過する空気の塵埃を除去するためエアフィルターの風上側に配置される吸引ノズルと、前記吸引ノズルと吸引装置とが屈曲性を有するホース等により連結される構成を有するフィルター装置を具備した空気調和機において、前記箱状の吸引ノズルは、前記エアフィルター面側に前記エアフィルターの断面方向全体に渡って開口部が設けられた内側ケースと、さらに前記内側ケースの外側には前記開口部を覆いつつその一部に相当する位置に吸引口が空
けられたフィルムが配置され、前記吸引口が前記開口部に沿って駆動可能なように前記フィルム駆動装置と連結装着され、さらにその外側を、前記フィルムの吸引口およびその駆動範囲以外を覆うが外郭カバーにて前記フィルムを支持する構成に加えて、前記外郭カバーの前記エアフィルター面側の前記フィルムを支持する摺動面にＵ溝状の切欠きを前記フィルムの駆動方向に複数個配置したものである。
【０００８】
また、本発明の空気調和機のフィルター装置は、吸引ノズルの、内側ケースまたは外郭カバーの一方もしくはその両方に円形もしくはフィルムの駆動方向に長い小さな凸形状を設け、フィルムを摺動面から浮かしフィルムと内側ケースおよび外郭カバーの接触面積を減らす構成としたものである。
【０００９】
また、本発明の空気調和機のフィルター装置は、吸引ノズルのフィルムにおいて、前記フィルムの吸引口の前記吸引ノズル駆動方向の前側もしくは後ろ側近傍に、エアフィルター面まで届き若干圧縮される厚さを有する弾性体のパッドを固定した構成に関し、前記エアフィルターの前面側から天面側へ曲がる前記吸引ノズル曲がり部の内側ケースの前記パッドの摺動部に相対する面を切り欠いたものである。
【発明の効果】
【００１０】
本発明の空気調和機のフィルター装置は、エアフィルターの吸引清掃に伴う吸引ノズル部への細かな砂等の侵入によるフィルム摺動への摩擦抵抗の増大を抑えることが可能となり、信頼性の高いフィルム駆動性を実現できる。
【発明を実施するための最良の形態】
【００１１】
以下、本発明の実施の形態について、図面を参照しながら説明する。なお、この実施の形態によって本発明が限定されるものではない。
（実施の形態１）
図１は、本発明の実施の形態１における空気調和機のフィルター装置の構成例を示した図である。この図において熱交換器を通過する空気の塵埃を除去するためエアフィルター２は、前面側と天面側に配置されフィルターワク１に支持固定される。そのエアフィルター２の風上側には、エアフィルター２に沿ってＬ型の形状をした箱状の吸引ノズル３が設けられる。
【００１２】
吸引ノズル３はフィルターワク１の上下端に設置されたガイドレール４により、エアフィルター２と極めて狭い間隙を保って円滑に左右に移動することができる。エアフィルター上に付着した塵埃はこの吸引ノズル３より吸引される。
【００１３】
さらに、吸引ノズル３には吸引ホース５が連結され、さらに吸引ホース５は吸引装置６に連結される。
【００１４】
吸引ホース５は吸引ノズル３の移動に差し支えないように屈曲性を有する。
【００１５】
さらに、吸引装置６には排気ダクト７が連結され、室外へ引き回される。
【００１６】
吸引ノズル３により吸引されたエアフィルターの塵埃は吸引ダクト５、吸引装置６、排気ダクト７を経由して室外へ排出される。
【００１７】
次に、図２、図３を用いて吸引ノズル３の構造詳細を説明する。
【００１８】
図２は、吸引ノズル３の構造を示した展開斜視図（裏面図）である。吸引ノズル３は、吸引した風の流通路を構成するノズル内側ケース８と、ノズル内側ケース８を囲むように
設けられたフィルム９と、フィルム９を支持して駆動力を伝えるギヤ１４ａとギア受け具１４ｂと、フィルム９を支持して円滑に駆動させるためのローラー１５ａ、１５ｂから構成される。ノズル内側ケース８のエアフィルター側の面には、エアフィルター２の縦長さに相当する長さでスリット状のノズル開口部１０が設けてある。
【００１９】
一方、フィルム９はループ状に形成され、ノズル開口部１０を覆うようにノズル内側ケース８の外周に巻き付けられる。
【００２０】
フィルム９にはエアフィルター面側にエアフィルター縦長さの１２等分の長さで、吸引口１６が設けてあり、吸引口１６の位置がノズル開口部１０に相対する位置にフィルム９は取り付けられる。
【００２１】
フィルム９の両端には等間隔の駆動穴１２が設けられており、ステッピングモーター１３を連結したギヤ１４ａが、駆動穴１２に噛み合わさることによってフィルム９は上下方向のいずれにも自在に駆動できるようになっている。
【００２２】
フィルム９は、外郭カバー１７と１８をノズル内側ケース８に固定することで支持される。外郭カバー１７には、フィルム９を抑える位置にＵ字状の切欠き１７ａが複数個設けられている。
【００２３】
図３は組み付け後の吸引ノズル３の斜視図（裏面図）である。
【００２４】
上記構成によりの吸引ノズル３がエアフィルター２の全面を吸引清掃する際、塵埃に含まれる細かな砂等がフィルム９と外郭カバー１７および１８の間に侵入し、フィルム９の摺動抵抗を増大させるが、外郭カバー１７に設けたＵ次状の切欠き１７ａが外郭カバー１７とフィルム９との接触面を減らし、さらに外郭カバーとフィルム９との間に侵入した細かな砂等がフィルム９の駆動に伴なって移動した際に、吸引ノズル３の外に吐き出す役目を果たし、フィルム９の摺動抵抗の増大を抑制することが可能となる。
【００２５】
なお、本実施例では、外郭カバー１７へＵ字状の切欠き１７ａを設けた場合の例を示したが、外郭カバー１８のフィルム９を抑える面にＵ字状の切欠きを設けても同様の効果を果たすことが出来、さらにフィルム９の摺動抵抗の増大を抑制できる。
【００２６】
（実施の形態２）
図６は、本発明の実施の形態２を示したノズル内側ケース８とフィルム９の展開斜視図（正面図）である。
【００２７】
実施の形態１に記載した吸引ノズル３において、ノズル内側ケース８のフィルム９との摺動面よりフィルム９の駆動方向に少し長い凸形状２０を複数個設けたものである。
【００２８】
この実施の形態によれば、ノズル内側ケース８のフィルム９との摺動面に設けた小さな凸形状２０によりフィルム９はノズル内側ケースとの摺動面より浮いた位置で支持されることになり、フィルム９の摺動面を極端に減らすことが可能となる。これによりエアフィルター２に溜まった塵埃に含まれる細かな砂等がノズル内側ケース８とフィルム９との摺動面に侵入した際でも砂等によるフィルム９の摺動摩擦抵抗の増大を抑制することが可能となる。
【００２９】
なお、本実施例では、ノズル内側ケース８に凸形状２０を設けた例を示したが、外郭ケース１７もしくは１８のフィルム摺動面に凸形状を設けても同様の効果を果たすことが出来、さらにフィルム９の摺動抵抗の増大を抑制できる。
【００３０】
（実施の形態３）
図５は、本発明の実施の形態３を示したノズル内側ケース８とフィルム９の展開斜視図（裏面図）である。エアフィルター２に堆積した塵埃の除去性能を向上させるため、実施の形態１に記載したフィルム９にエアフィルター２の面まで届き若干圧縮される厚さを持つ弾性体のパッド３０を接着剤等で固定したものである。
【００３１】
その際、フィルム９に固定されたパッド３０がノズル内側ケースの曲がり部分を通過する際、弾性体のパッド３０はまっすぐに伸びようとしてノズル内側ケース８のフィルム９との摺動面に強く接触するようになるが、ノズル内側ケース８の摺動面のパッド３０が通過する位置に相当する面に切欠き３１を設けることによりパッド３０近傍との接触面を減らすことが出来、塵埃に含まれる細かな砂等がフィルム９とノズル８との摺動面に侵入した場合でも、パッド３０がノズル内側ケースの曲がり部を通過していく際の摩擦抵抗の増大を抑制することが可能となる。
【産業上の利用可能性】
【００３２】
以上のように、本発明に係る空気調和機のフィルター装置は、エアフィルターの吸引清掃に伴う吸引ノズル部への細かな砂等の侵入によるフィルム摺動への摩擦抵抗の増大を抑えることが可能となり、信頼性の高いフィルム駆動性を実現できるので、空気清浄機や加湿器等のフィルターに適用できる。
【図面の簡単な説明】
【００３３】
【図１】本発明の実施の形態１における空気調和機のフィルター装置の構成図
【図２】本発明の実施の形態１における吸引ノズル吸引の展開斜視図
【図３】本発明の実施の形態１における吸引ノズルの組立て斜視図
【図４】本発明の実施の形態２におけるノズル内側ケースとフィルムの展開斜視図
【図５】本発明の実施の形態３におけるノズル内側ケースとフィルムの展開斜視図
【符号の説明】
【００３４】
１  フィルターワク
２  エアフィルター
３  吸引ノズル
４  ガイドレール
５  吸引ホース
６  吸引装置
７  排気ダクト
８  ノズル内側ケース
９  フィルム
１０  ノズル開口部
１２  駆動穴
１３  ステッピングモーター
１４ａ  ギヤ
１４ｂ  ギヤ固定具
１５ａ  ローラー
１５ｂ  ローラー
１６  吸引口
１７  外郭カバー
１７ａ  Ｕ字状切欠き
１８  外郭カバー
２０  凸形状
３０  パッド
３１  切欠き
【図１】
2007107827.tif 000003
【図２】
2007107827.tif 000004
【図３】
2007107827.tif 000005
【図４】
2007107827.tif 000006
【図５】
2007107827.tif 000007